(57)【要約】【課題】ＬＥＤの配光を簡単に変更でき、効率的に放熱できる照明器具を提供する。【解決手段】照明器具１０は、複数のＬＥＤ２０，２２と、ＬＥＤ２０，２２が取り付けられる器具本体１１と、器具本体１１を覆うカバー１３，１５とを備え、カバー１３，１５は、器具本体１１への取付位置を変更でき、変更された取付位置に応じて、ＬＥＤ２０，２２からの配光を変化可能である。【選択図】図１
2013004450.tif 000002
【特許請求の範囲】
【請求項１】
複数のＬＥＤと、
前記ＬＥＤが取り付けられる器具本体と、
前記器具本体を覆うカバーとを備え、
前記カバーは、前記器具本体への取付位置を変更でき、変更された前記取付位置に応じて、前記ＬＥＤからの配光を変化可能である照明器具。
【請求項２】
請求項１に記載の照明器具において、
前記カバーは、前記ＬＥＤに対応するレンズを有し、前記ＬＥＤと前記レンズとが対応した状態で、前記カバーの前記取付位置が変更可能である照明器具。
【請求項３】
請求項１または請求項２に記載の照明器具において、
前記カバーは、前記ＬＥＤに選択的に対応する前記レンズを複数種類有し、前記カバーの前記取付位置を変更することにより、前記ＬＥＤと前記レンズとの組合せが変更される照明器具。
【発明の詳細な説明】
【技術分野】
【０００１】
本発明は、天井面に取り付けられるシーリングライト等に適用される照明器具に関する。
【背景技術】
【０００２】
従来より、被写体を照らす少なくとも一つの照明モジュールが、ハウジング内に収容され、光源と光学手段とを有する照明器具が知られている（例えば、特許文献１参照）。
特許文献１は、照明モジュールが、少なくとも１つのＬＥＤおよびＬＥＤと協働する光学系を有する少なくとも２つの異なる種類の照明ユニットを有する。
特許文献１は、ＬＥＤおよび光学系が、光源および光学手段を各々構成する一方、照明ユニットが、動作中被写体の対応する一部を照らし、ＬＥＤが、動作中一定の光束を供給する。
【先行技術文献】
【特許文献】
【０００３】
【特許文献１】特許第４０１４２２７号公報（図２、請求項１）
【発明の概要】
【発明が解決しようとする課題】
【０００４】
特許文献１は、ＬＥＤにより発生された光をより効率よく利用できる。
特許文献１は、ＬＥＤと、ＬＥＤと協働する光学系がハウジング内に設けられているために、任意に照らす方向や範囲をあらかじめ決めることができる。
特許文献１は、配光に関して、各照明モジュールの光束の制御または、ある照明モジュールの個別の照明ユニットの光束の制御を通じてフレキシブルに調整できる。
【０００５】
しかし、特許文献１は、以下の五つの課題を有する。
課題の一つ目は、予め決められた方向に、ＬＥＤおよびＬＥＤに協働する光学系を配置するために、照射光の向きを変更するに際し、カバーを外して、手動で調整する手間が生じることである。
【０００６】
課題の二つ目は、調整後の照射の状態は、カバーを再び取り付けた状態でないと確認できないために、微調整を行うのが、繰り返し作業になってしまうことである。
課題の三つ目は、カバーを外さない方法としては、ワイヤレスでモジュールを可動にする機構を追加することなどが考えられるが、その場合、装置が重くなったり、その分のコストがかかってしまったりすることである。
【０００７】
課題の四つ目は、配光に関して、光束の制御しかできないために、光束を大小することで、照射範囲を広げたり、狭くしたりすることはできるものの、光軸の中心は変わることがないため、別の箇所を照らすことができないことである。
課題の五つ目は、点灯、消灯するモジュールを切替えることにより、配光の向きを変化することができるものの、配光切替の数だけモジュールが必要になってしまうことである。
【０００８】
本発明は、前述した課題を解決するためになされたものであり、その目的は、ＬＥＤの配光を簡単に変更でき、効率的に放熱できる照明器具を提供することにある。
【課題を解決するための手段】
【０００９】
本発明に係る照明器具は、複数のＬＥＤと、前記ＬＥＤが取り付けられる器具本体と、前記器具本体を覆うカバーとを備え、前記カバーは、前記器具本体への取付位置を変更でき、変更された前記取付位置に応じて、前記ＬＥＤからの配光を変化可能である。
【００１０】
本発明に係る照明器具は、前記カバーは、前記ＬＥＤに対応するレンズを有し、前記ＬＥＤと前記レンズとが対応した状態で、前記カバーの前記取付位置が変更可能である。
【００１１】
本発明に係る照明器具は、前記カバーは、前記ＬＥＤに選択的に対応する前記レンズを複数種類有し、前記カバーの前記取付位置を変更することにより、前記ＬＥＤと前記レンズとの組合せが変更される。
【発明の効果】
【００１２】
本発明に係る照明器具によれば、ＬＥＤの配光を簡単に変更でき、効率的に放熱できるという効果を奏する。
【図面の簡単な説明】
【００１３】
【図１】本発明に係る第１実施形態の照明器具の斜め上方から視た分解斜視図
【図２】本発明に係る第１実施形態の照明器具の垂直断面図
【図３】本発明に係る第１実施形態の照明器具の第１状態の光学的特性の配光図
【図４】本発明に係る第１実施形態の照明器具の第２状態の光学的特性の配光図
【図５】本発明に係る第２実施形態の照明器具の斜め上方から視た分解斜視図
【図６】本発明に係る第２実施形態の照明器具の垂直断面図
【図７】本発明に係る第２実施形態の照明器具の第１状態の光学的特性の配光図
【図８】本発明に係る第２実施形態の照明器具の第２状態の光学的特性の配光図
【図９】本発明に係る第３実施形態の照明器具の垂直断面図
【図１０】本発明に係る第３実施形態の照明器具の斜め下方から視た外観斜視図
【図１１】本発明に係る第３実施形態の照明器具の第１状態の光学的特性の配光図
【図１２】本発明に係る第３実施形態の照明器具の第２状態の光学的特性の配光図
【図１３】本発明に係る第４実施形態の照明器具の第１状態の垂直断面図
【図１４】本発明に係る第４実施形態の照明器具の第１状態の光学的特性の配光図
【図１５】本発明に係る第４実施形態の照明器具の第２状態の垂直断面図
【図１６】本発明に係る第４実施形態の照明器具の第２状態の光学的特性の配光図
【図１７】本発明の係る第５実施形態の照明器具の外観斜視図
【図１８】本発明に係る第６実施形態の照明器具の外観斜視図
【発明を実施するための形態】
【００１４】
以下、本発明に係る複数の実施形態の照明器具について図面を参照して説明する。
（第１実施形態）
図１に示すように、本発明に係る第１実施形態の照明器具１０は、器具本体１１と、器具本体１１の下面に取り付けられるＬＥＤユニット１２と、ＬＥＤユニット１２の前面に配置される第１カバー１３とを備えてシーリングライトに適用される。
照明器具１０は、第１カバー１３の上面に取り付けられる複数のレンズ１４と、第１カバー１３の下面に配置される第２カバー１５と、第２カバー１５の下面に配置される外枠部材１６とを備える。
【００１５】
器具本体１１は、円板形状に形成されており、上面の中央部に、不図示の天井面に設置されている同じく不図示の引掛シーリングに機械的および電気的に接続される取付アダプタ１７が取り付けられる。
器具本体１１は、取付アダプタ１７の側部に点灯回路１８が取り付けられる。
ＬＥＤユニット１２は、器具本体１１の外縁部の下面に取り付けられる円環形の第１ＬＥＤ基板１９の下面に円周方向に９０度の間隔で複数の第１ＬＥＤ２０が封止される。
ＬＥＤユニット１２は、器具本体１１の中央部の下面に取り付けられる円形の第２ＬＥＤ基板２１の下面に複数の第２ＬＥＤ２２が封止される。
【００１６】
第１ＬＥＤ２０および第２ＬＥＤ２２は、それぞれの光色および色温度が異なるものであってもよい。
第１ＬＥＤ基板１９および第２ＬＥＤ基板２１は、点灯回路１８に電気的に接続される不図示のプリント回路をそれぞれ有する。
第１ＬＥＤ２０および第２ＬＥＤ２２は、点灯回路１８により、オン・オフ制御されるとともに、調光や調色を制御される。
【００１７】
第１カバー１３は、透過性を有する樹脂材料等を用いて円環形状に形成される。第１カバー１３は、器具本体１１の外径寸法に略同一の外径寸法を有して、あらかじめ定められた内径寸法を有する。
レンズ１４は、光学的な特性を有して頂部に光入射部２３を有し、第１カバー１３の上面において、第１ＬＥＤ２０のそれぞれに光入射部２３を合わせるように円周方向に９０度の間隔で第１カバー１３に光学的に接続されて取り付けられる。
【００１８】
第２カバー１５は、透過性を有する樹脂材料等を用いて円板形状に形成される。第２カバー１５は、外径寸法が第１カバー１３の内径寸法よりも大きい。
第２カバー１５は、外縁部に複数の支持部材２４が取り付けられ、これら支持部材２４が器具本体１１の下面に取り付けられる。
【００１９】
そのため、第２カバー１５が器具本体１１側に固定されることにより、第２カバー１５により、第１カバー１３およびレンズ１４が第２カバー１５に同一の回動中心を有して回動自在に支持される。
外枠部材１６は、第１カバー１３の外径寸法よりも大きい内径寸法を有しており、第１カバー１３の下方および側方を覆うようにして器具本体１１に取り付けられる。
【００２０】
図２に示すように、照明器具１０は、第１ＬＥＤ２０の前面にレンズ１４を介して第１カバー１３が配置されるために、点灯回路１８からの給電によりレンズ１４を介して第１カバー１３を通じて下方に向けて光を出射させる。
照明器具１０は、第２ＬＥＤ２２の前面に第２カバー１５が配置されるために、点灯回路１８からの給電により第２カバー１５を通じて下方に向けて光を出射させる。
このとき、第１カバー１３は、ユーザーにより、任意の回動位置へ回動可能である。
【００２１】
次に、照明器具１０の光学的特性について説明する。
図３に示すように、第１カバー１３が第１位置Ａ１にあると、第１カバー１３のレンズ１４の中心が第１ＬＥＤ２０に一致する。
そのため、第１ＬＥＤ２０の光軸がレンズ１４の中心から第１カバー１３を通じた第１配向Ｂ１を有する。
【００２２】
図４に示すように、第１カバー１３が第１位置Ａ１から、例えば２／４５度の第２位置Ａ２まで回動されると、第１カバー１３のレンズ１４の中心が第１ＬＥＤ２０からずれる。
そのため、第１ＬＥＤ２０の光軸がレンズ１４の中心からずれて第１カバー１３を通じた第２配向Ｂ２を有する。
このとき、第２ＬＥＤ２２からの光は、いずれの場合も、第２カバー１５を通じて下方に向けて出射される。
【００２３】
このように、照明器具１０は、第１カバー１３を動かすことにより、配光を任意に変化できる。
このとき、照明器具１０は、第１ＬＥＤ２０および第２ＬＥＤ２２を点灯させたままで、第１カバー１３を動かすことにより、配光を確認しながら微調整できる。
そして、第１ＬＥＤ２０および第２ＬＥＤ２２が発した熱は、第１ＬＥＤ基板１９および第２ＬＥＤ基板２１が熱的に接続されている器具本体１１を通じて効率よく放熱できる。
また、照明器具１０は、第１ＬＥＤ基板１９および第２ＬＥＤ基板２１が器具本体１１に固定されているために、配線の配策が簡単であり、伸縮繰返等に伴う断線の虞がない。
【００２４】
なお、照明器具１０は、第１ＬＥＤ基板１９および第２ＬＥＤ基板２１を用いずに、第１ＬＥＤ２０および第２ＬＥＤ２２を器具本体１１に直接取り付けることもできる。
また、照明器具１０は、第１カバー１３と第２カバー１５とを非接触に取り付けることにより、第１カバー１３を水平方向に移動させることができる。
そして、器具本体１１は、円形に代えて、四角形や、その他の多角形に形成されてもよい。
【００２５】
以上、説明した本発明に係る第１実施形態の照明器具１０によれば、第１カバー１３を器具本体１１に対して回動可能としたことにより、第１ＬＥＤ２０の配光を変化させることができる。
また、照明器具１０によれば、第１カバー１３や第２カバー１５を開ける等せずに、配光の変更が容易に可能であるために、作業性を向上できる。
【００２６】
そして、照明器具１０によれば、第１ＬＥＤ２０および第２ＬＥＤ２２を点灯したままで、配光の微調整ができる。
さらに、照明器具１０によれば、第１ＬＥＤ２０および第２ＬＥＤ２２が発した熱を、第１ＬＥＤ基板１９および第２ＬＥＤ基板２１が熱的に接続されている器具本体１１を通じて効率よく放熱できる。
【００２７】
照明器具１０によれば、第１ＬＥＤ２０とレンズ１４とが対応した状態で第１カバー１３の位置が変更できるために、レンズ効果の加味された配光を任意に設定できる。
また、照明器具１０によれば、第１ＬＥＤ２０が固定されたままで、配光を変更可能なために、第１ＬＥＤ２０の点灯のための配線が伸縮するようなことがなく、特別な配線が不要であって、配線に可動部がないために、伸縮繰返しによる断線等が生じない。
【００２８】
さらに、照明器具１０によれば、第１カバー１３および第２カバー１５からなるカバーのうちの第１カバー１３のみの位置を変更する。
そのため、照明器具１０によれば、固定された第２カバー１５を通じて照射されるベース光は一定の配光で照射しつつ、スポット光のみを変化させることにより、光の演出効果を向上できる。
【００２９】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００３０】
図５に示すように、本発明に係る第２実施形態の照明器具３０は、第１カバー１３の上面に、複数の第１レンズ３１と、第１レンズ３１とは光学的な特性が異なる複数の第２レンズ３２とを円周方向に交互に取り付ける。
このとき、第１レンズ３１と第２レンズ３２とは、第１カバー１３の上面において４５度の間隔で交互に配置される。
図６に示すように、第１レンズ３１は、配光の中心が外側を向くようにあらかじめ設定される。なお、図示しないが、第２レンズ３２についても同様に、配光の中心が外側を向くように設定される。
【００３１】
次に、照明器具３０の光学的特性について説明する。
図７に示すように、第１カバー１３が第１位置Ａ１にあると、第１ＬＥＤ２０の光軸が第１レンズ３１の特性を伴って外側に向く第１配向Ｂ１を有する。
図８に示すように、第１カバー１３が第１位置Ａ１から、例えば２／４５度の第２位置Ａ２まで回動されると、第１ＬＥＤ２０の光軸が第１レンズ３１の中心からずれて外側に向く第２配向Ｂ２を有する。
そして、第２カバー１３が第１位置Ａ１から４５度の第３位置Ａ３まで回動されると、第１ＬＥＤ２０の光軸が第２レンズ３２の特性を伴って外側に向く不図示の第３配向を有する。
【００３２】
照明器具３０によれば、複数種類の第１レンズ３１および第２レンズ３２をあらかじめ備えることにより、配光のバリエーションを更に多くできる。
また、照明器具３０によれば、器具本体１１の直下だけでなく、器具本体１１の外側や内側にも任意に照射でき、第１レンズ３１および第２レンズ３２の特性を組み合わせることにより、任意の方向を照射できる。
そして、照明器具３０によれば、複数の第１レンズ３１および第２レンズ３２を備えるために、レンズの付け替えを行うことなく、配光を変更できる。
【００３３】
（第３実施形態）
次に、本発明に係る第３実施形態の照明器具について説明する。
図９および図１０に示すように、本発明に係る第３実施形態の照明器具４０は、器具本体１１の外縁部の下面に取り付けられる円環形の第１ＬＥＤ基板１９の下面に円周方向に９０度の間隔で複数の第１ＬＥＤ２０が封止される。
照明器具４０は、配光の中心が内側を向くように光学的な特性があらかじめ設定されたレンズ４１が円周方向に９０度の間隔で第１カバー１３に取り付けられる。
【００３４】
図１１に示すように、照明器具４０は、第１カバー１３が第１位置Ａ１にあると、第１カバー１３のレンズ４１の特性を伴って内側に向く第１配向Ｂ１を有する。
図１２に示すように、第１カバー１３が第１位置Ａ１から、例えば４５度の第２位置Ａ２まで回動されると、レンズ４１の中心からずれてレンズ４１の特性を伴って内側に向く第２配向Ｂ２を有する。
【００３５】
（第４実施形態）
次に、本発明に係る第４実施形態の照明器具について説明する。
図１３に示すように、本発明に係る第４実施形態の照明器具５０は、不図示の移動手段により器具本体１１の垂直方向に移動可能な第１カバー５１および第２カバー５２を備える。
【００３６】
図１４に示すように、照明器具５０は、第１カバー５１および第２カバー５２が器具本体１１から離れた位置Ｃ１において、第１ＬＥＤ２０のレンズ１４を通じて広い照射範囲Ｄ１の第１配光Ｂ１を有する。
図１５および図１６に示すように、照明器具５０は、第１カバー５１および第２カバー５２が器具本体１１に近づいた位置Ｃ２において、第１ＬＥＤ２０のレンズ１４を通じて狭い照射範囲Ｄ２の第２配光Ｂ２を有する。
【００３７】
（第５実施形態）
次に、本発明に係る第５実施形態の照明器具について説明する。
図１７に示すように、本発明に係る第５実施形態の照明器具６０は、ペンダント型であって、取付アダプタ１７から吊下電線６１を介して円形の器具本体６２が吊り下げられる。
【００３８】
（第６実施形態）
次に、本発明に係る第６実施形態の照明器具について説明する。
図１８に示すように、本発明に係る第６実施形態の照明器具７０は、四角形の器具本体７１を備えるシーリングライトに適用される。
【００３９】
なお、本発明の照明器具においてＬＥＤユニット，ＬＥＤ，取付アダプタ，外枠部材，点灯回路等は、前述した各実施形態に限定されるものでなく、適宜な変形や改良等が可能である。
【符号の説明】
【００４０】
１０，３０，４０，５０，６０，７０  照明器具
１１，５１，６２，７１  器具本体
１３  第１カバー（カバー）
１４，４１  レンズ
１５  第２カバー（カバー）
２０  第１ＬＥＤ（ＬＥＤ）
２２  第２ＬＥＤ（ＬＥＤ）
３１  第１レンズ（レンズ）
３２  第２レンズ（レンズ）
【図１】
2013004450.tif 000003
【図２】
2013004450.tif 000004
【図３】
2013004450.tif 000005
【図４】
2013004450.tif 000006
【図５】
2013004450.tif 000007
【図６】
2013004450.tif 000008
【図７】
2013004450.tif 000009
【図８】
2013004450.tif 000010
【図９】
2013004450.tif 000011
【図１０】
2013004450.tif 000012
【図１１】
2013004450.tif 000013
【図１２】
2013004450.tif 000014
【図１３】
2013004450.tif 000015
【図１４】
2013004450.tif 000016
【図１５】
2013004450.tif 000017
【図１６】
2013004450.tif 000018
【図１７】
2013004450.tif 000019
【図１８】
2013004450.tif 000020